(57)【要約】【課題】  ディスク判別の手法を複数用意するとともに、ユーザの使用状況に応じていずれの手法を用いるかを臨機応変に切り換えることにより、ユーザの使い勝手の向上を図る。【解決手段】  システムコントローラ１０は、使用回数保存部１４に保存されているディスク種類毎の使用回数が一定の使用傾向を示す予め設定された基準であるディスクの種類毎の使用回数の差を超えている場合には、その使用傾向に従った優先順位で、装填されたディスクの種類を判別し、使用傾向が前記基準であるディスクの種類毎の使用回数の差以下である場合には、ユーザにより入力部１３より指定された優先順位で、装填されたディスクの種類を判別する。【選択図】  図１
2006134417.tif 000002
【特許請求の範囲】
【請求項１】
装填されたディスクの種類を判別する種類判別手段を備えたディスク装置において、
装填されたディスクの種類を判別する優先順位をユーザが指定する指定手段と、
過去に使用されたディスクの種類毎の使用回数をカウントして保存する使用回数保存手段とを備えており、
前記種類判別手段は、前記使用回数保存手段に保存されているディスク種類毎の使用回数が一定の使用傾向を示す予め設定された基準であるディスクの種類毎の使用回数の差を超えている場合には、その使用傾向に従った優先順位で装填されたディスクの種類を判別し、使用傾向が前記基準であるディスクの種類毎の使用回数の差以下である場合には、前記指定手段により指定された優先順位で、装填されたディスクの種類を判別する一方、前記指定手段により優先順位が指定されていない場合には、予め設定された一定の順序に従ってディスクの種類を自動的に判別する自動判別機能によって装填されたディスクの種類を判別し、かつ、前記指定手段によりユーザが優先順位を指定した場合には、その後一定期間の間はユーザの指定した優先順位で、装填されたディスクの種類を判別することを特徴とするディスク装置。
【請求項２】
装填されたディスクの種類を判別する種類判別手段を備えたディスク装置において、
装填されたディスクの種類を判別する優先順位をユーザが指定する指定手段と、
過去に使用されたディスクの種類毎の使用回数をカウントして保存する使用回数保存手段とを備えており、
前記種類判別手段は、前記使用回数保存手段に保存されているディスク種類毎の使用回数が一定の使用傾向を示す予め設定された基準を超えている場合には、その使用傾向に従った優先順位で、装填されたディスクの種類を判別する一方、使用傾向が前記基準以下である場合には、前記指定手段により指定された優先順位で、装填されたディスクの種類を判別することを特徴とするディスク装置。
【請求項３】
前記基準が、ディスクの種類毎の使用回数の差であることを特徴とする請求項２に記載のディスク装置。
【請求項４】
前記種類判別手段は、前記指定手段によりユーザが優先順位を指定した場合には、その後一定期間の間はユーザの指定した優先順位で、装填されたディスクの種類を判別することを特徴とする請求項２または請求項３に記載のディスク装置。
【請求項５】
装填されたディスクの種類を予め設定された一定の順序に従って自動的に判別する自動判別機能を備えており、
前記種類判別手段は、使用傾向が前記基準以下であり、かつ、前記指定手段により優先順位が指定されていない場合には、前記自動判別機能によって装填されたディスクの種類を判別することを特徴とする請求項２または請求項３に記載のディスク装置。
【発明の詳細な説明】
【技術分野】
【０００１】
本発明は、装填されたディスクの種類を判別する種類判別手段を備えたディスク装置に関し、特に、ユーザの使用状況に合わせてディスク判別を迅速に行なうことのできるディスク装置に関する。
【背景技術】
【０００２】
従来のディスク装置は、ＣＤ（Compact Disc）、ＣＤ−Ｒ（CD Recordable）、ＣＤ−ＲＷ（CD ReWritable）、及びＤＶＤ（Digital Versatile Disk）といった複数種類のディスクが使用可能となっている。そのため、装填されたディスクの種類をより早く判別できるように工夫されたディスク装置が種々提案されている(例えば、特許文献１〜３参照)。
【０００３】
特許文献１のディスク装置は、ディスクの種類判別が行われたとき、その判別されたディスクの種類毎に使用回数をカウントし、使用回数の多い順に次回のディスク判別処理を行うようになっている。また、カウント数が同一の場合には、前もって設定されている優先順位によりディスク判別を行うようになっている。これにより、ユーザの使用形態に合わせたディスク判別が可能となっている。
【０００４】
また、特許文献２の装置は、一度再生したディスクの個別識別情報をディスク個別識別情報記憶手段に記憶するとともに、そのディスクに対応した自動調整情報を自動調整情報記憶手段に記憶しておき、次にそのディスクを再生する場合には自動調整情報記憶手段からそのディスクに対応した自動調整情報を読み出して再生を行うようになっている。すなわち、一度再生したことのあるディスクに対しては、再生用回路の自動調整の過程を省略できるようになっている。
【０００５】
また、特許文献３の装置は、ユーザの操作により、ディスク種別を判別するための優先順位を規定する順位情報が入力されると、装置側では、ディスクが装填されるたびに、その優先順位に従ってディスク判別を行うようになっている。これにより、ユーザが普段使用するディスクを素早く判別することが可能となる。
【特許文献１】特開２０００−１１５２７号公報
【特許文献２】特開２００１−３３２０１０号公報
【特許文献３】特開２００２−１１７６１４号公報
【発明の開示】
【発明が解決しようとする課題】
【０００６】
上記特許文献１の装置では、使用回数の多い順に次回のディスク判別処理を行うため、ディスク判別にかかる時間は短縮することが可能である。しかし、ユーザの使い勝手を考慮すると、常に使用回数の多い順にディスク判別処理を行うことが必ずしも最良でない場合もある。つまり、ユーザが意識的にそれまでの使用回数の少ない例えばＤＶＤを多用するような状況になった場合には、最初からＤＶＤのディスク判別処理を行う方が有利である。これを改善するためには、上記特許文献３の装置のように、ユーザがディスク判別の優先順位を設定することで解決することができる。しかし、ユーザが優先順位を設定したまま、その設定の解除を忘れた場合には、その後、使用回数の多い例えばＣＤ−ＲＡＭを多用するような状況になった場合でも、いつまでもＤＶＤからディスク判別を行うため、逆にディスク判別に時間がかかってしまうといった問題が発生する。
【０００７】
つまり、使用回数の多い順にディスク判別処理を行うか、ユーザの設定した優先順位でディスク判別処理を行うかは、ユーザの使用状況の変化に対応して臨機応変に対処する必要があるが、上記特許文献１及び特許文献３のものを組み合わせただけでは、そのような臨機応変な対応ができないといった問題があった。
【０００８】
また、特許文献２の装置では、一度再生したディスクを再度使用する場合には、ディスク判定処理が省略されるため非常に便利であるが、新たなディスクを装填した場合には、従来通りの順番でディスクの自動判別を行う必要があるため、初めて装填されたディスクについては、ディスク判別に時間がかかってしまうといった問題があった。
【０００９】
本発明はかかる問題点を解決すべく創案されたもので、その目的は、ディスク判別の手法を複数用意するとともに、ユーザの使用状況に応じていずれの手法を用いるかを臨機応変に切り換えることにより、ユーザの使い勝手の良いディスク装置を提供することにある。
【課題を解決するための手段】
【００１０】
上記課題を解決するため、本発明のディスク装置は、装填されたディスクの種類を判別する種類判別手段を備えたディスク装置において、装填されたディスクの種類を判別する優先順位をユーザが指定する指定手段と、過去に使用されたディスクの種類毎の使用回数をカウントして保存する使用回数保存手段とを備えており、前記種類判別手段は、前記使用回数保存手段に保存されているディスク種類毎の使用回数が一定の使用傾向を示す予め設定された基準を超えている場合には、その使用傾向に従った優先順位で、装填されたディスクの種類を判別する一方、使用傾向が前記基準以下である場合には、前記指定手段により指定された優先順位で、装填されたディスクの種類を判別することを特徴とする。ここで、前記基準としては、ディスクの種類毎の使用回数の差とすることができる。
【００１１】
すなわち、過去のディスク種類毎の使用回数が一定の使用傾向を示している場合、例えば、ＣＤ−Ｒが３６回、ＣＤ−ＲＷが２４回、ＣＤが１２回、ＤＶＤが１回といった具合に、明らかに一定の使用傾向がある場合（上記の例では使用回数の差が１０以上ある場合）には、この使用傾向に従い、ＣＤ−Ｒ、ＣＤ−ＲＷ、ＣＤ、ＤＶＤの順にディスク判別を行なう。一方、一定の使用傾向がみられない場合、例えばＣＤが２０回、ＣＤ−Ｒが２２回、ＣＤ−ＲＷが１８回、ＤＶＤが２１回といった具合に使用回数に差がない場合（上記の例では使用回数の差が５以下の場合）には、ユーザの指定した優先順位でディスク判別を行なう。これにより、ユーザの使用状況に応じて臨機応変に対応したディスク判別が可能となる。
【００１２】
一方、ユーザが優先順位を指定するということは、その後しばらくの間はその順位で使用する可能性が高いということである。従って、このような事情を考慮し、前記種類判別手段は、前記指定手段によりユーザが優先順位を指定した場合には、その後一定期間（例えば、１週間等）の間はユーザの指定した優先順位で、装填されたディスクの種類を判別するようにしてもよい。すなわち、この場合には、過去に使用されたディスクの種類毎の使用回数は考慮しない。これにより、ユーザの意思に即したディスク判別が可能となり、ディスク判別時間を短縮することができる。
【００１３】
一方、優先順位を指定するときに、ユーザが第１位のみを指定（すなわち、１種類のディスクのみ指定）した場合には、その後の優先順位は使用回数を考慮してもよい。例えば、過去のディスク種類毎の使用回数が、ＣＤ−Ｒが６０回、ＣＤ−ＲＷが４０回、ＣＤが２０回、ＤＶＤが５回である場合に、ユーザが優先順位第１位としてＣＤのみを指定した場合には、種類判別手段は、この指定と上記の使用回数とを考慮し、ディスク判別順位として、ＣＤ、ＣＤ−Ｒ、ＣＤ−ＲＷ、ＤＶＤの順にディスク判別を行なうようにしてもよい。これにより、ユーザの使用状況により即したディスク判別を行なうことができる。
【００１４】
さらに、本発明では、装填されたディスクの種類を予め設定された一定の順序に従って自動的に判別する自動判別機能を備えており、前記種類判別手段は、使用傾向が前記基準以下であり、かつ、前記指定手段により優先順位が指定されていない場合には、前記自動判別機能によって装填されたディスクの種類を判別するようにしてもよい。ここで、自動判別機能による優先順位としては、ＣＤ、ＣＤ−Ｒ、ＣＤ−ＲＷ、ＤＶＤの順番が一般的である。
【発明の効果】
【００１５】
本発明のディスク装置によれば、使用回数保存手段に保存されているディスク種類毎の使用回数が一定の使用傾向を示す予め設定された基準を超えている場合には、その使用傾向に従った優先順位で、装填されたディスクの種類を判別する一方、使用傾向が前記基準以下である場合には、指定手段により指定された優先順位で、装填されたディスクの種類を判別するように構成したので、ユーザの使用状況に応じてディスク判別の優先順位を臨機応変に変えることができるため、ディスク判別時間を短縮することができる。
【００１６】
また、本発明のディスク装置によれば、指定手段によりユーザが優先順位を指定した場合には、その後一定期間の間はユーザの指定した優先順位で、装填されたディスクの種類を判別するように構成したので、ユーザの意思に即したディスク判別が可能となり、ディスク判別時間を短縮することができる。
【発明を実施するための最良の形態】
【００１７】
以下、本発明の実施の形態について図面を参照して説明する。
【００１８】
図１は、本実施形態のディスク装置の一例を示す機能ブロック図である。本実施形態のディスク装置は、再生専用タイプであってもよく、記録再生タイプであってもよいが、本実施形態では記録再生タイプのディスク装置のシステム構成を例示している。また、本ディスク装置で再生可能または記録と再生とか可能なディスク１としては、ＣＤ、ＣＤ−Ｒ、ＣＤ−ＲＷ、ＤＶＤなどの各種タイプのディスクがある。
【００１９】
ディスク１にデータを書き込むとともに、書き込んだデータを読み取る光ピックアップ３の出力は、ＲＦアンプ５を介してディジタル信号処理回路７に接続されており、ディジタル信号処理回路７の出力は、光ピックアップ３によるデータの書き込み時及び読み出し時のレーザ出力を制御するレーザドライバ８に接続されている。また、サーボ処理回路９の出力は、光ピックアップ３をディスク１の半径方向に移動させるためのフィードモータ４とディスク１を回転駆動するスピンドルモータ２とに接続されており、これらディジタル信号処理回路７及びサーボ処理回路９は、装置全体を制御するシステムコントローラ１０と双方向に接続されている。
【００２０】
また、ディジタル信号処理回路７には、ディスク１から実際に読み取ったデータを一時的に蓄積するバッファとしてのＤＲＡＭ６が双方向に接続されており、システムコントローラ１０には、ディスクのパラメータやレーザパワーのパラメータ等の固有情報を格納しておくためのＥＥＰＲＯＭ１１が双方向に接続されている。また、システムコントローラ１０には、イジェクトスイッチや優先順位の指定スイッチ等の各種機能スイッチの操作信号をシステムコントローラ１０に入力するための入力部１３が接続されているとともに、過去に使用されたディスク１の種類毎の使用回数をカウントして保存する使用回数保存部（カウンタ等）１４、及びユーザが優先順位を指定した場合のその後の一定期間（例えば、１週間等）を計測するタイマー回路１５が接続されている。
【００２１】
さらに、システムコントローラ１０及びディジタル信号処理回路７には、図示しない上位のホストコンピュータ等との接続を行うためのインターフェイスコントローラ（Ｉ／Ｆコントローラ）１２が双方向に接続された構成となっている。なお、図示は省略しているが、システムコントローラ１０には、本発明の特徴であるディスク判定処理を実行するための判定処理プログラムが内部メモリ（ＲＯＭ等）に格納されている。
【００２２】
システムコントローラ１０は、使用回数保存部１４に保存されているディスク種類毎の使用回数が一定の使用傾向を示す予め設定された基準（例えば、ディスクの種類毎の使用回数の差）を超えている場合には、その使用傾向に従った優先順位で、装填されたディスクの種類を判別する。また、使用傾向が前記基準以下である場合には、入力部１３により指定された優先順位で、装填されたディスクの種類を判別する。一方、入力部１３により優先順位が指定されていない場合には、予め設定された一定の順序に従ってディスクの種類を自動的に判別する自動判別機能によって装填されたディスクの種類を判別する。さらに、入力部１３によりユーザが優先順位を指定した場合には、その後一定期間（例えば、１週間等）の間は、ユーザの指定した優先順位で、装填されたディスクの種類を判別する。
【００２３】
ここで、上記基準について説明する。
【００２４】
上記基準としては、ディスク１の種類毎の使用回数の差を基準とすることができる。例えば、ＣＤ−Ｒが３６回、ＣＤ−ＲＷが２４回、ＣＤが１２回、ＤＶＤが１回といった具合に、使用回数の差がそれぞれ１０回以上あり、明らかに一定の使用傾向がある場合には、この使用回数の差１０回を基準として、それ以上か以下かで一定の使用傾向があるか否かを判断する。
【００２５】
この場合、全体の使用回数も考慮に入れてもよい。上記の例では、全使用回数は７３（＝３６＋２４＋１２＋１）回であり、５０〜１００回の間であるので、全使用回数が５０回以上１００回未満である場合には、基準とする使用回数の差を１０回とする。また同様にして、全使用回数が０回以上５０回未満である場合には、基準とする使用回数の差を５回とし、全使用回数が１００回を超えている場合には、基準とする使用回数の差を１５回とするように、全使用回数に応じて基準を適宜変更するようにしてもよい。
【００２６】
さらに、この基準については、例えば全使用回数に上限（例えば、１００回等）を設けておき、全使用回数が１００回を超えた場合には、最も古いものから順番に使用回数のカウント値を減算していくことで、常に全使用回数が１００回となるように調整してもよい。このように調整することで、常に直近の使用状況が使用回数に反映されるため、よりユーザの使用状況に合ったディスク判別の優先順位を設定することができる。
【００２７】
このような基準は、予めシステムコントローラ１０の内部メモリ（ＲＯＭ等）に格納しておけばよい。
【００２８】
次に、本実施形態のディスク装置によるディスク判別処理の実施例について説明する。
【実施例１】
【００２９】
本実施例１のディスク判別処理について、図２に示すフローチャートを参照して説明する。
【００３０】
システムコントローラ１０は、ディスク１が装填されたか否かを常に監視する（ステップＳ１）。そして、ディスク１が装填されると（ステップＳ１でＹｅｓと判断されると）、次に、ユーザによって入力部１３よりディスク判別の優先順位が入力（指定）されているか否かを判断する（ステップＳ２）。その結果、ユーザによって優先順位が指定されている場合（ステップＳ２でＹｅｓと判断された場合）には、次に使用回数保存部１４を参照し、過去のディスク種類毎の使用回数が一定の使用傾向を示す予め設定された基準（具体的には、ディスク１の種類毎の使用回数の差が１０回等）を超えているか否かを判断する（ステップＳ３）。
【００３１】
その結果、基準を超えている場合（ステップＳ３でＹｅｓと判断された場合）には、その使用傾向に従った優先順位で、装填されたディスク１の種類を判別する（ステップＳ４）。一方、基準以下である場合（ステップＳ３でＮｏと判断された場合）には、ユーザによって指定された優先順位で、装填されたディスク１の種類を判別する（ステップＳ５）。
【００３２】
一方、ステップＳ２での判断において、ユーザが優先順位を指定しなかった場合（Ｎｏと判断された場合）には、次に使用回数保存部１４を参照し、過去のディスク種類毎の使用回数が一定の使用傾向を示す前記基準を超えているか否かを判断する（ステップＳ６）。
【００３３】
その結果、基準を超えている場合（ステップＳＹｅｓと判断された場合）には、ステップＳ４へと動作を進め、その使用傾向に従った優先順位で、装填されたディスク１の種類を判別する。一方、基準以下である場合（ステップＳ６でＮｏと判断された場合）には、予め設定された一定の順序に従って、ディスク１の種類を自動的に判別する（ステップＳ７）。このステップＳ７での自動判別は、従来から行なわれている自動判別である。
【実施例２】
【００３４】
ところで、ユーザが優先順位を指定するということは、その後しばらくの間はその順位で使用する可能性が高いということである。そこで、本実施例２では、このような事情を考慮し、システムコントローラ１０は、入力部１３によりユーザが優先順位を指定した場合には、その後一定期間（例えば、１週間等）の間はユーザの指定した優先順位で、装填されたディスク１の種類を判別するようにしたものである。
【００３５】
以下、本実施例２のディスク判別処理について、図３に示すフローチャートを参照して説明する。
【００３６】
システムコントローラ１０は、ユーザにより入力部１３よりディスク判別の優先順位が指定されたか否かを常に監視する（ステップＳ１１）。そして、ユーザによりディスク判別の優先順位が指定された場合には、タイマー回路１５を起動して一定期間（例えば、１週間等）の計測を開始し（ステップＳ１２，Ｓ１３）、その計測中に、ディスク１が装填されたか否かを常に監視する（ステップＳ１４）。そして、ディスク１が装填されると（ステップＳ１４でＹｅｓと判断されると）、システムコントローラ１０は、ユーザの指定した優先順位に従って、装填されたディスク１の種類を判別する（ステップＳ１５）。
【００３７】
一方、ユーザにより優先順位が指定されてから一定期間が経過した場合（ステップＳ１３でＹｅｓと判断された場合）には、図２に示すステップＳ１に進み、実施例１のディスク判別処理に移行することになる。
【図面の簡単な説明】
【００３８】
【図１】本発明のディスク装置の一例を示す機能ブロック図である。
【図２】本発明のディスク装置の実施例１のディスク判別処理を説明するためのフローチャートである。
【図３】本発明のディスク装置の実施例２のディスク判別処理を説明するためのフローチャートである。
【符号の説明】
【００３９】
１  ディスク
２  スピンドルモータ
３  光ピックアップ
４  フィードモータ
５  ＲＦアンプ
６  ＤＲＡＭ
７  ディジタル信号処理回路
８  レーザドライバ
９  サーボ処理回路
１０  システムコントローラ
１１  ＥＥＰＲＯＭ
１２  Ｉ／Ｆコントローラ
１３  入力部
１４  使用回数保存部
１５  タイマー回路
【図１】
2006134417.tif 000003
【図２】
2006134417.tif 000004
【図３】
2006134417.tif 000005